(57)【要約】【課題】ＰＴＰ包装シートのみならず、ポリプロピレン等の合成樹脂シートによる包装材から内部の錠剤を取出す際に、老人や指先に障害を有する者であっても、簡単な操作によって容易に取出すことができるコンパクトな構造による錠剤取出構造を提供する。【解決手段】上側プレート６に形成された大孔部８の中央には押しボタン１５が設けられ、該押しボタンは下部に突出した押圧体１６を有すると共に、該押しボタンは大孔部８の四方から延長された屈曲片１７で上下動自在に支持され、また下側プレート７に形成された取出穴９は大孔部８よりも小径であって押圧体１６を挿通可能とする内径を有し、さらに上側プレート６の大孔部８の下部に沿って挟持用突起１８が形成され、該挟持用突起１８に対向する支持突起１９が下側プレート７の上部にて取出穴１９の周囲に形成された構造を有する。【選択図】図５
2005204937.tif 000002
【特許請求の範囲】
【請求項１】
錠剤を２枚の合成樹脂シート間にて区画別に内封してなる包装材を挟持するようにした上側プレートと下側プレートとを有し、前記上側プレートに形成された大孔部の中央には押しボタンが設けられ、該押しボタンは下部に突出した押圧体を有すると共に前記大孔部の四方から延長された屈曲片で上下動自在に支持され、また前記下側プレートに形成された取出穴は前記大孔部よりも小径であって前記押圧体を挿通可能とする内径を有し、さらに前記上側プレートの大孔部の下部に沿って挟持用突起が形成されると共に、該挟持用突起に対向する支持突起が前記下側プレートの上部にて前記取出穴の周囲に形成された構造を有することを特徴とする錠剤取出構造。
【請求項２】
前記上側プレートと前記下側プレートとは互いの側端部がヒンジで結合されて開閉可能にされたことを特徴とする請求項１記載の錠剤取出構造。
【請求項３】
前記錠剤を区画別に内封した包装材の区画状況に応じて、前記上側プレートに形成された前記大孔部と前記下側プレートに形成された前記取出穴の位置及び個数を形成するようにしたことを特徴とする請求項１または２記載の錠剤取出構造。
【発明の詳細な説明】
【技術分野】
【０００１】
本発明は、ＰＴＰ包装シートのみならず、ポリプロピレン等の合成樹脂シートによる包装材に収納された錠剤であっても容易に取り出すことができる錠剤取出構造に関するものである。
【背景技術】
【０００２】
錠剤の包装形態として、プラスチックシートの裏面にアルミ箔を凸形状に貼着して、その凸形状の中に錠剤を収容するようにしたＰＴＰ包装シートによるものがある。この包装シートに収容された錠剤は、凸形状を上方から指で押し込むことによって比較的容易に取り出すことが可能である。
【０００３】
また、他の錠剤の包装形態として、ポリプロピレン等の合成樹脂シートによる包装材料で形成されたものがある。これは、２枚のシートを合わせて所定区画ごとに分け、その内部に錠剤を収容すると共に錠剤を収容した内部空間の周囲を区画ごとに熱溶着等で圧着してなるものである。従って、このように包装された錠剤を取出すには、包装材を端辺から内方へ向けて破ることにより、内部の錠剤を包装状態から開放する必要がある。
【０００４】
ところが、はさみ等の道具を用いずに、指先だけで上記の合成樹脂シートによる包装材を破るには、指先の感覚が正常であって、また指先に相応の力が必要となる。というのは、ポリプロピレン等の合成樹脂材料は引張りによってある程度延びるため、包装材の端辺から破断する作業は、作業要領が悪いと健常者でも困難であり、老人や指先に障害を有する者にとってはより一層困難な作業となる。
【０００５】
そこで、従来の錠剤のケース、或いは錠剤取出具等について調査をしたところ、本発明に関連する技術としては、特許文献１或は文献２に掲げる発明があった。
【０００６】
特許文献１の発明は、図７に示すように、ヒンジ２９で開閉自在に構成された挟持プレート３９と収納プレート３０と該収納プレート３０に設けられたプレート本体３１からなり、挟持プレート３９には複数の小径の収納穴４０が形成され、これらの穴４０に対応する位置関係を有して、プレート本体３１には複数の大径の取出穴３３が形成され、さらに収納プレート３１は底面が大部分が開放された形状とされている。
【０００７】
そして、図８に示すように、挟持プレート３９とプレート本体３１との間に錠剤３５を密封収納した包装シート３６を挟んでとじ込むことにより、包装シート３６の凸状の収納ドーム３７をプレート本体３１の大径の取出穴３３から突出させた状態にする。
【０００８】
このように構成されたケースから錠剤３５を取出すには、図９に示すように、プレート本体３１の大径の取出穴３３から突出した状態にある収納ドーム３７を上方から指先で押圧して、内部の錠剤３５が包装シート３６の底面３８を破って外方へ飛び出させるようにする。
【０００９】
ところで、特許文献１のケースは、その発明の名称が示すとおり、ＰＴＰシート用ケースであり、ＰＴＰ包装シートの底面は破れやすいため、その内部の錠剤は比較的取出しやすいもので、指で押し出すという安易な作業によって内部の錠剤を取出すことが可能となる。
【００１０】
ところが、このようなケースにポリプロピレン等の合成樹脂シートによる包装材を収容して、指先の力だけで錠剤の収容部を押圧して包装材を破ることにより内部の錠剤を押し出すことは到底不可能である。
【００１１】
また、特許文献２の発明は、図１０に示すように、先端に錠剤打ち抜きポンチ４０を有する打抜ポンチ支持桿４１と該打抜ポンチ支持桿４１に回動軸バネ４２を介して回動軸４３で回動自在に枢設されたダイス支持桿４４を有し、このダイス支持桿４４の先端には打抜ポンチ４０に対応する位置に設けられた打抜ダイス４５が形成されてなるものである。
【００１２】
従って、このような構成による錠剤取出器は、ＰＴＰ包装シート４７に収納された錠剤４６を１個ずつ打抜ポンチ４０で打抜くという作業を有するものであり、その構造は１個の錠剤を取り出すにしては大掛かりな構造を必要とし、また複数の錠剤を収納して例えばポケットに携帯するという用途には不向きな構造を有するものである。
【特許文献１】特開２００２−２５５２５６号公報（第１、２頁、図１、図５、図６）
【特許文献２】特開２００２−１４３２７４号公報（第１、２頁、図２）
【発明の開示】
【発明が解決しようとする課題】
【００１３】
以上のように、特許文献１或いは特許文献２の有する構造は、ポリプロピレン等の合成樹脂シートによる包装材から錠剤を取出すには不向きである。
【００１４】
本発明は、上記のような事情に鑑みてなされたもので、ＰＴＰ包装シートのみならず、ポリプロピレン等の合成樹脂シートによる包装材から内部の錠剤を取出す際に、老人や指先に障害を有する者であっても、簡単な操作によって容易に取出すことができ、しかもコンパクトな構造による錠剤取出構造を提供することを目的とするものである。
【課題を解決するための手段】
【００１５】
上記の目的を達成するために、本発明の請求項１の錠剤取出構造は、錠剤を２枚の合成樹脂シート間にて区画別に内封してなる包装材を挟持するようにした上側プレートと下側プレートとを有し、前記上側プレートに形成された大孔部の中央には押しボタンが設けられ、該押しボタンは下部に突出した押圧体を有すると共に前記大孔部の四方から延長された屈曲片で上下動自在に支持され、また前記下側プレートに形成された取出穴は前記大孔部よりも小径であって前記押圧体を挿通可能とする内径を有し、さらに前記上側プレートの大孔部の下部に沿って挟持用突起が形成されると共に、該挟持用突起に対向する支持突起が前記下側プレートの上部にて前記取出穴の周囲に形成された構造を有することを特徴とする。
【００１６】
また、本発明の請求項２の錠剤取出構造は、請求項１記載の発明において、前記上側プレートと前記下側プレートとは互いの側端部がヒンジで結合されて開閉可能にされたことを特徴とする。
【００１７】
さらに、本発明の請求項３の錠剤取出構造は、請求項１または２記載の発明において、前記錠剤を区画別に内封した包装材の区画状況に応じて、前記上側プレートに形成された前記大孔部と前記下側プレートに形成された前記取出穴の位置及び個数を形成するようにしたことを特徴とする。
【発明の効果】
【００１８】
以上のように構成された発明により、上側プレートの挟持用突起と下側プレートの支持突起の間に錠剤の包装材を挟持した状態で周囲を固定し、この状態で押しボタンを下方へ押圧することによって該押しボタンの押圧体が包装材の内部の錠剤を上部から押し下げると、該錠剤が包装材の下部を破断して下側プレートの取出穴から排出されるものである。
【００１９】
従って、ＰＴＰ包装シートの内部の錠剤を取出す際は勿論のこと、ポリプロピレン等の合成樹脂シートによる包装材から内部の錠剤を取出す際に、健常者のみならず、老人や指先に障害を有する者であっても、押しボタンを指先で下方に押し下げるだけの簡単な操作によって錠剤を取出すことが可能となる。
【００２０】
また、本発明の錠剤取出構造は、非常に簡単且つ小型の構造であり、合成樹脂等のプレートを利用して成形加工により適用することができるため、上側プレートと下側プレートとをヒンジで結合した構造とし、また複数の錠剤取出構造を設けることによって、薄型でコンパクトな開閉式ケースとして構成することが可能となる。
【発明を実施するための最良の形態】
【００２１】
以下、本発明の実施例について図面を参照しながら説明する。
【実施例１】
【００２２】
本発明による錠剤取出構造は、図１または図２に示す開閉ケース２の個々の構造１、１…を云うものである。開閉ケース２は本発明の応用として、錠剤取出構造１を複数設けた開閉式のケース構造としたことによるものである。
【００２３】
図２に示す包装材５は、錠剤３を１個ずつ２枚のポリプロピレン等の合成樹脂シート間にて区画別に内封してなるもので、一例として、全部で１０個の錠剤３を５個ずつ２列に配列したものとしている。
【００２４】
本発明による開閉ケース２においては、錠剤３を区画別に内封した包装材５の区画状況に応じて、図３に示すように、上側プレート６に形成された大孔部８と下側プレート７に形成された取出穴９の位置及び個数を形成してあり、その一例として、上記の包装材５に応じて、全部で１０個の大孔部８と取出穴９とを５個ずつ２列に配列した構造としている。
【００２５】
また、このような開閉ケース２は、図３に示すように、上側プレート６と下側プレート７とを互いの側端部位にてヒンジ１１で結合することによって、開閉可能にされている。これらの上側プレート６と下側プレート７はヒンジ１１を含め、ポリプロピレン等の合成樹脂による一体成形により形成することができる。このような構成により、図2に示すように、開閉ケース２を開けてその内部に錠剤３が内封された包装材５を収容したり、これを取り出して、他の錠剤３の包装材５を取り替えたりすることを永続的に自在に行うことができる。
【００２６】
さらに、図１に示すように、上側プレート６と下側プレート７の自由端側には長尺の凸条６ａ、７ａが突出形成され、開閉ケース２を閉じたときに合致する凸条６ａ、７ａをスライドロック１２により挟み込んで固定するようにしている。
【００２７】
即ち、このスライドロック１２は、上側プレート６の凸条６ａと下側プレート７の凸条７ａを合致した状態を端部から挟み込んでスライドする長尺の凹形状１２ａを有し、この凹形状１２ａから横方向に突出した平板部１３には適所に孔１４が形成され、これに不図示の紐等を挿通することによって携帯の際に便利となるようにしている。
【００２８】
本発明の錠剤取出構造１は、図３または図４に示すように、上側プレート６に形成された各大孔部８の中央に押しボタン１５が設けられ、該押しボタン１５は下部に突出した押圧体１６を有すると共に、該押しボタン１５は大孔部８の四方から延長された屈曲片１７、１７…で上下動自在に支持されている。
【００２９】
なお、このような構造において、押しボタン１５の下部に突出した押圧体１６は円筒形とするのが好ましい。また、夫々の押しボタン１５には中央に上部突起１５ａが形成され、この押しボタン１５を押す際の感触を指先で確認できるようにしてあり、また上部突起１５ａは指先で押圧する際の滑り止めとしても機能する。
【００３０】
また、図４に示すように、下側プレート７に形成された取出穴９は大孔部８よりも小径であって押圧体１６を挿通可能とする内径を有する。さらに、上側プレート６の大孔部８の下部に沿って挟持用突起１８が形成され、該挟持用突起１８に対向する支持突起１９が下側プレート７の上部にて取出穴９の周囲に形成されている。
【００３１】
これらの挟持用突起１８とこれに対向する支持突起１９とは、その間に挟持した包装材５を固定するために設けられたものである。仮に、これらの挟持手段が設けられていない場合は、後述するように押しボタン１５を下方へ押し下げたとき、包装材５の全体が下方へずれて、錠剤３の部位に対する集中的な押圧力を作用し得なくなる。
【００３２】
さらに、本実施例においては、図３に示すように、上側プレート６における夫々の挟持用突起１８の四方に突部２０、２０…を形成することによって、包装材５の挟持力を強めるようにしてもよい。
【００３３】
上記の構造により、図４に示すように、上側プレート６と下側プレート７とを閉じた状態にし、上側プレート６の挟持用突起１８と下側プレート７の支持突起１９の間に錠剤３の包装材５を挟持した固定状態にしておく。そして、錠剤３を取出すときは、図５に示すように、押しボタン１５を下方へ押圧すると、押しボタン１５の下部の押圧体１６が包装材５の錠剤３を上部から押圧することによって該錠剤３が包装材４を下部を破断し、図６に示すように錠剤３を下側プレート７の取出穴９から排出する。
【００３４】
なお、上記の実施例においては、開閉ケースに複数の錠剤取出構造を設けた構成を示してあるが、本発明はその錠剤取出構造そのものに関し、開閉ケースに設ける錠剤取出構造の個数や配置状況は設定自在である。
【産業上の利用可能性】
【００３５】
本発明の錠剤取出構造は、その構造自体が非常に簡単且つ小型の構造であり、薄型でコンパクトな開閉式ケースとして構成することが可能であり、非常に携帯性に優れる他、健常者のみならず、老人や指先に障害を有する者であっても、押しボタンを指先で押し下げるだけの簡単な操作によって包装材を破断して錠剤を取出すことが可能な錠剤取出構造としての適用が可能となる。
【図面の簡単な説明】
【００３６】
【図１】本発明による錠剤取出構造を有する開閉ケースの斜視図である。
【図２】本発明による錠剤取出構造を有する開閉ケースをやや開口した状態を示す斜視図である。
【図３】本発明による錠剤取出構造を有する開閉ケースを開いた内部状況を示す平面図である。
【図４】本発明による錠剤取出構造の断面状況を示す図１のＡ−Ａ線断面図である。
【図５】本発明による錠剤取出構造において錠剤を取出している状況を示す断面図である。
【図６】本発明による錠剤取出構造において錠剤を取出した状況を示す断面図である。
【図７】特許文献１に関する展開斜視図である。
【図８】特許文献１に関する断面図である。
【図９】特許文献１に関する断面図である。
【図１０】特許文献２に関する断面図である。
【符号の説明】
【００３７】
１…錠剤取出構造
２…開閉ケース
３…錠剤
５…包装材
６…上側プレート
７…下側プレート
６ａ…上側プレートの凸条
７ａ…下側プレートの凸条
８…大孔部
９…取出穴
１１…ヒンジ
１２…スライドロック
１２ａ…凹形状
１３…平板部
１４…孔
１５…押しボタン
１５ａ…上部突起
１６…押圧体
１７…屈曲片
１８…挟持用突起
１９…支持突起
２０…突部
【図１】
2005204937.tif 000003
【図２】
2005204937.tif 000004
【図３】
2005204937.tif 000005
【図４】
2005204937.tif 000006
【図５】
2005204937.tif 000007
【図６】
2005204937.tif 000008
【図７】
2005204937.tif 000009
【図８】
2005204937.tif 000010
【図９】
2005204937.tif 000011
【図１０】
2005204937.tif 000012